(57)【要約】【課題】監視テレビカメラで撮影した映像情報をサーバを介して監視するとき、異常が発生している場合には、モニタ画面で異常と判断できるＣＣＴＶ画像配信システムを提供する。【解決手段】映像情報の復号化装置であるＭＰＥＧ２ＤＥＣ３がカメラ７の映像情報を符号化するＭＰＥＧ２ＥＮＣ６からの映像情報の受信状態を監視し、その結果をＣＣＴＶサーバ１および公開サーバ２に通知することによって、公開サーバ２から提供される取得した映像情報が正常化異常かをモニタ９に表示された画面から判断することを可能とする。【選択図】  図１
2004282283.tif 000002
【特許請求の範囲】
【請求項１】
複数のテレビカメラと、
前記テレビカメラに対応して設けられ、前記テレビカメラからの映像情報をデジタル符号化してネットワークに出力する複数の映像信号符号化装置と、
前記映像信号符号化装置を選択して対応する前記テレビカメラからの映像情報の取得を制御する制御サーバと、
前記ネットワークから受信した前記符号化された映像情報を復号すると共に、当該映像情報が正常受信されたか否かを判定してその結果を前記制御サーバに通知する映像信号復号装置と、
前記映像信号復号装置からの映像情報を蓄積して公開する公開サーバと、
前記公開サーバにアクセスして前記蓄積された映像情報を表示するモニタとを有し、
前記制御サーバは、前記映像信号復号装置から映像情報が正常に受信された通知を受信した時、前記公開サーバへ前記映像信号復号装置からの前記映像情報を蓄積するための制御を行い、前記映像信号復号装置から映像情報が正常に受信されていない通知を受信した時、異常案内を表示するデータを前記公開サーバに送信することを特徴とするＣＣＴＶ画像配信システム。
【請求項２】
前記公開サーバは、前記映像信号復号装置からの映像情報を静止画映像情報として符号化し、蓄積することを特徴とする請求項１記載のＣＣＴＶ画像配信システム。
【請求項３】
前記公開サーバは、前記映像信号復号装置からの映像情報を動画映像情報として符号化し、蓄積することを特徴とする請求項１記載のＣＣＴＶ画像配信システム。
【請求項４】
前記映像信号復号装置はタイマを内蔵し、前記タイマに設定された時間内に前記映像信号符号化装置から前記ネットワークを介して受信した前記映像情報の復号化ができない場合、前記映像情報の受信異常として判定することを特徴とする請求項１記載のＣＣＴＶ画像配信システム。
【請求項５】
前記制御サーバは、前記映像信号符号化装置を選択して対応する前記テレビカメラから映像情報を取得するための制御を行った時、前記公開サーバへ選択した前記映像信号符号化装置の識別情報を送信することを特徴すると請求項１記載のＣＣＴＶ画像配信システム。
【請求項６】
前記公開サーバは、前記制御サーバから前記映像信号符号化装置の識別情報を受信した時に起動する前記タイマを有し、そのタイマがタイムアウトした時、制御サーバに対し前記映像信号復号装置が正常に映像情報を受信したか否かを確認要求することを特徴すると請求項５記載のＣＣＴＶ画像配信システム。
【請求項７】
前記制御サーバは、前記公開サーバから前記確認要求を受信すると前記映像信号復号装置から前記映像情報の受信判定結果を取得し、その結果が異常の場合は異常案内を表示するデータを前記公開サーバに送信することを特徴とする請求項６記載のＣＣＴＶ画像配信システム。
【請求項８】
前記制御サーバおよび前記公開サーバは、そのいずれか一つが他方の機能を兼ね備え、他方を収容していることを特徴とする請求項１記載のＣＣＴＶ画像配信システム。
【請求項９】
複数のテレビカメラと、前記テレビカメラに対応して設けられ、前記テレビカメラからの映像情報をデジタル符号化してネットワークに出力する複数の映像信号符号化装置と、前記映像信号符号化装置を選択して対応する前記テレビカメラからの映像情報の取得を制御する制御サーバと、前記ネットワークから受信した前記符号化された映像情報を復号すると共に、当該映像情報が正常受信されたか否かを判定してその結果を前記制御サーバに通知する映像信号復号装置と、前記映像信号復号装置からの映像情報を蓄積して公開する公開サーバと、
前記公開サーバにアクセスして前記蓄積された映像情報を表示するモニタとを有するＣＣＴＶ画像配信システムの通信制御方法であって、
前記映像信号復号装置が前記ネットワークを介して送信された前記映像情報を正常に受信した時は、前記映像信号復号装置から前記公開サーバへ前記映像情報を送信し、
前記映像信号復号装置が前記ネットワークを介して送信された前記映像情報を正常に受信できない時は、前記制御サーバによって作成される異常案内を表示するデータを前記公開サーバに送信することを特徴とするＣＣＴＶ画像配信システムの通信制御方法。
【請求項１０】
前記映像信号復号装置はタイマを内蔵し、前記タイマに設定された時間内に前記映像信号符号化装置から前記ネットワークを介して送信された前記映像情報の復号化ができない場合、前記映像情報の受信異常として判定することを特徴とする請求項８記載のＣＣＴＶ画像配信システムの通信制御方法。
【請求項１１】
前記制御サーバは、前記映像信号符号化装置を選択して対応する前記テレビカメラから映像情報を取得するための制御を行った時、前記公開サーバへ選択した前記映像信号符号化装置の識別情報を送信することを特徴すると請求項８記載のＣＣＴＶ画像配信システムの通信制御方法。
【請求項１２】
前記公開サーバは、前記制御サーバから前記映像信号符号化装置の識別情報を受信した時に起動する前記タイマを有し、そのタイマがタイムアウトした時、制御サーバに対し前記映像信号復号装置が正常に映像情報を受信したか否かを確認要求することを特徴すると請求項１０記載のＣＣＴＶ画像配信システムの通信制御方法。
【請求項１３】
前記制御サーバは、前記公開サーバから前記確認要求を受信すると前記映像信号復号装置から前記映像情報の受信判定結果を取得し、その結果が異常の場合は異常案内を表示するデータを前記公開サーバに送信することを特徴とする請求項１１記載のＣＣＴＶ画像配信システムの通信制御方法。
【発明の詳細な説明】
【０００１】
【発明の属する技術分野】
本発明は、ＣＣＴＶ画像配信システム、およびその通信制御方法に関する。
【０００２】
【従来の技術】
監視テレビカメラの映像をネットワークを介して監視モニタに送信して監視する画像配信システムの一つに、複数の監視テレビカメラを任意に選択し、その選択した監視テレビカメラからの映像信号を静止画像にしてネットワーク上のサーバに取り込み、複数のモニタからネットワーク上のサーバにアクセスして所要の画像信号を取得して監視するマルチキャストを応用した画像監視システム（以下、ＣＣＴＶ画像監視システムと称する）がある。
【０００３】
このＣＣＴＶ画像監視システムでは、監視テレビカメラ、もしくはそれに接続された符号化装置（エンコーダ）に識別情報（例えば、ＩＰアドレス）が付与されて、サーバが所定の識別情報を設定することにより監視対象の監視テレビカメラを選択するように構成されている。
【０００４】
図３は、従来のＣＣＴＶ画像配信システムの構成を示すブロック図である。
【０００５】
図３において、ＣＣＴＶ画像配信システムは、ＣＣＴＶサーバ１１，公開サーバ１２、サーバ側のＭＰＥＧ２デコーダ（以下、ＭＰＥＧ２ＤＥＣと記す。）２３、ＪＰＥＧエンコーダ（以下、ＪＰＥＧＥＮＣと記す。）２４、ＬＡＮスイッチ２５（＃１、＃２）、ネットワーク１８（＃１、＃２）、複数のカメラ２７（＃１〜＃３）、カメラ側の複数のＭＰＥＧ２エンコーダ（以下、ＭＰＥＧ２ＥＮＣと記す。）２６（＃１〜＃３）、およびモニタ１９から構成されている。
【０００６】
複数のカメラ２７（＃１〜＃３）からの動画の映像情報は、それぞれに対応する複数のＭＰＥＧ２ＥＮＣ２６（＃１〜＃３）によりデジタル符号化される。そして、その符号化された映像情報は、ＬＡＮスイッチ２５（＃１）、ローカルエリアネットワーク（ＬＡＮ）のネットワーク１８（＃１）、ＬＡＮスイッチ２５（＃２）を介してＭＥＧ２ＤＥＣ２３に送信される。
【０００７】
この映像情報の取得に際し、ＣＣＴＶサーバ１１は、ＭＰＥＧ２ＤＥＣ２３にＩＰアドレスを設定し、ＭＰＥＧ２ＤＥＣ２３からＬＡＮスイッチ２５（＃２）、ネットワーク１８（＃１）、ＬＡＮスイッチ２５（＃１）に監視画像のカメラ２７（＃１〜＃３）に対応するＭＰＥＧ２ＥＮＣ２６（＃１〜＃３）の１つを選択し、そのカメラ２７（＃１〜＃３）からの映像情報をＭＰＥＧ２ＤＥＣ２３に送信するように動作する。
【０００８】
また、ＣＣＴＶサーバ１１は、デジタル化された映像情報を復号化するＭＰＥＧ２ＤＥＣ２３、その復号された映像情報を受信してデジタル化静止画像情報を生成するＪＰＥＧＥＮＣ２４、およびＪＰＥＧＥＮＣ２４から画像情報を取得して蓄積・公開している公開サーバ１２を監視、制御する。
【０００９】
モニタ１９は、ネットワーク１８（＃２）を介して公開サーバ１２へアクセスして静止画像情報を取得し、カメラ２７の画像を表示する。なお、ネットワーク１８（＃１）と（＃２）は、１つのネットワークであってもよい。
【００１０】
図４は、従来のＣＣＴＶ画像配信システムにおける画像配信の動作手順を示す図である。以下、図３，図４を用いてＣＣＴＶ画像配信システムの画像配信の手順を説明する。
【００１１】
ＣＣＴＶサーバ１１は、カメラ２７（例えば、＃１）からの画像情報を公開サーバ１２に蓄積する場合、先ず、ＭＰＥＧ２ＥＮＣ２６（＃１）のＩＰアドレスをＭＰＥＧ２ＤＥＣ２３に設定する（図４のステップｓ２１）。
【００１２】
すると、ＭＰＥＧ２ＤＥＣ２３は、ＬＡＮスイッチ２５（＃２）にＭＰＥＧ２ＥＮＣ２６（＃１）のＩＰアドレスを送信し、接続要求を行う。（図４のステップｓ２２）。
【００１３】
ＬＡＮスイッチ２５（＃２）は、その接続要求に対する応答信号をＣＣＴＶサーバ１１に送信する。そして、ＣＣＴＶサーバ１１は、そのカメラ２７（＃１）を特定する接続情報を公開サーバ１２に送信する（図４のステップｓ２３）。また、これに引き続いてＬＡＮスイッチ２５（＃２）は、ネットワーク１８（＃１）を介してＬＡＮスイッチ２５（＃１）にこの接続要求信号を送信する（図４のステップｓ２４）。
【００１４】
ＬＡＮスイッチ２５（＃１）は、この接続要求信号を受信すると、カメラ２７（＃１）からの動画の映像情報を符号化しているＭＰＥＧ２ＥＮＣ２６（＃１）の映像情報を選択して、ネットワーク１８（＃１）出力する（図４のステップｓ２５）。
【００１５】
ＬＡＮスイッチ２５（＃２）は、ネットワーク１８（＃１）を介してＭＰＥＧ２ＥＮＣ２６（＃１）からの映像情報を受信すると、映像情報を要求していたＭＰＥＧ２ＤＥＣ２３に受信した映像情報を送信する。そして、ＭＰＥＧ２ＤＥＣ２３は、受信した映像情報を、例えば、ＮＴＳＣ方式の映像信号に復号してＪＰＥＧＥＮＣ２４に出力する（図４のステップｓ２６）。
【００１６】
ＪＰＥＧＥＮＣ２４は、受信したＮＴＳＣ方式の映像信号から静止画像データを生成して、公開サーバ１２に送信する（図４のステップｓ２７）。公開サーバ１２は、その静止画像データを内部記憶装置に蓄積する。そして、公開サーバ１２に蓄積された静止画像データは、ネットワーク１８（＃２）を介して当該画像情報を要求するモニタ１９に表示される。
【００１７】
しかしながら、上述した従来のＣＣＴＶ画像配信システムでは、カメラ２７（＃１）の映像情報は、ＭＰＥＧ２ＥＮＣ２６（＃１）によってデジタル符号化され、ＬＡＮスイッチ２５（＃１，＃２）を介してネットワーク１８（＃１、＃２）を伝送されている。しかし、その映像情報は、ＣＣＴＶサーバ１１および公開サーバ１２において何も品質チェックしていないため、ネットワーク１８（＃１）上で伝送中に異常が有っても、その有無が把握できない。
【００１８】
即ち、ＬＡＮスイッチ２５（＃１，＃２）は、単にＣＣＴＶサーバ１１によって指定されたＭＰＥＧ２ＥＮＣ２６（＃１）を選択して、カメラ２７（＃１）の映像情報をネットワーク１８（＃１）に接続するだけで、映像信号自体の品質やＭＰＥＧ２ＥＮＣ２６（＃１）の動作を監視制御する信号は、カメラ２７（＃１〜＃３）からＭＰＥＧ２ＤＥＣ３、もしくは、ＣＣＴＶサーバ１１との間では送受信されていない。
【００１９】
即ち、公開サーバ１２がカメラ２７（＃１）からの映像情報から生成された画像信号を受信して蓄積する場合は問題ない。しかし、ネットワーク１８（＃１）の障害等で映像情報がＭＰＥＧ２ＤＥＣ２３に正しく受信されていない場合には、カメラ２７（＃１）からの画像信号が公開サーバ１２に正しく蓄積されず、モニタ１９では正しい画像を監視出来ない。
【００２０】
例えば、ネットワーク１８（＃１）の障害があると、公開サーバ１２には、カメラ２７（＃１）を設定する前の、例えば、カメラ２７（＃２）の画像が蓄積されているので、モニタ１９が公開サーバ１２をアクセスして監視する画像は、カメラ２７（＃２）によって撮影された古い画像を監視することになってしまう。
【００２１】
また、モニタ１９が連続的にカメラ２７（＃１）の画像を繰り返し取得して画像を表示する場合でも、伝送中に障害があると、モニタ１９には、更新されない古い画像が表示されたままとなり、正しい監視が行えなくなる問題があった。
【００２２】
この様な方式で、静止画を提供するライブカメラサービスは、ＣＣＴＶ画像配信以外にも、インターネットでも行われているが、上記の構成による画像配信では表示画面が正しく更新されているリアルタイム画像なのか否かが不明な表示画面になってしまう（例えば、非特許文献１参照。）。
【００２３】
【非特許文献１】
インターネットＵＲＬ  ｈｔｔｐ：／／ｗｗｗ．ｓｅｋａｉｎｏｍａｄｏ．ｃｏｍ  世界の窓
【００２４】
【発明が解決しようとする課題】
従来のサーバを用いた画像監視システムでは、監視中の映像がネットワークの不具合により映像情報が正しく伝送されないとき、その映像情報を蓄積して公開する公開サーバからその映像情報を取得して監視モニタには正しい情報が表示されない問題があった。
【００２５】
本発明は、上記問題を解決するためになされたもので、監視テレビカメラで撮影した映像情報を公開サーバを介して監視するとき、異常が発生している場合に、モニタ画面で異常と判断できるＣＣＴＶ画像配信システム、およびその通信制御方法を提供することを目的とする。
【００２６】
【課題を解決するための手段】
上記目的を達成するために、本発明のＣＣＴＶ画像配信システムは、複数のテレビカメラと、前記テレビカメラに対応して設けられ、前記テレビカメラからの映像情報をデジタル符号化してネットワークに出力する複数の映像信号符号化装置と、前記映像信号復号装置を選択して対応する前記テレビカメラからの映像情報の取得を制御する制御サーバと、前記ネットワークから受信した前記符号化された映像情報を復号すると共に、当該映像情報が正常受信されたか否かを判定してその結果を前記制御サーバに通知する映像信号復号装置と、前記映像信号復号装置からの映像情報を蓄積して公開する公開サーバと、前記公開サーバにアクセスして前記蓄積された映像情報を表示するモニタとを有し、前記制御サーバは、前記映像信号復号装置から映像情報が正常に受信された通知を受信した時、前記公開サーバへ前記映像信号復号装置からの前記映像情報を蓄積するための制御を行い、前記映像信号復号装置から映像情報が正常に受信されていない通知を受信した時、異常案内を表示するデータを前記公開サーバに送信することを特徴とする。
【００２７】
また、本発明のＣＣＴＶ画像配信システムの通信制御方法は、複数のテレビカメラと、前記テレビカメラに対応して設けられ、前記テレビカメラからの映像情報をデジタル符号化してネットワークに出力する複数の映像信号符号化装置と、前記映像信号復号装置を選択して対応する前記テレビカメラからの映像情報の取得を制御する制御サーバと、前記ネットワークから受信した前記符号化された映像情報を復号すると共に、当該映像情報が正常受信されたか否かを判定してその結果を前記制御サーバに通知する映像信号復号装置と、前記映像信号復号装置からの映像情報を蓄積して公開する公開サーバと、前記公開サーバにアクセスして前記蓄積された映像情報を表示するモニタとを有するＣＣＴＶ画像配信システムの通信制御方法であって、前記映像信号復号装置が前記ネットワークを介して送信された前記映像情報を正常に受信した時は、前記映像信号復号装置から前記公開サーバへ前記映像情報を送信し、前記映像信号復号装置が前記ネットワークを介して送信された前記映像情報を正常に受信できない時は、前記制御サーバによって作成される異常案内を表示するデータを前記公開サーバに送信することを特徴とする。
【００２８】
【発明の実施の形態】
以下、図面を参照して本発明の実施の形態を説明する。
【００２９】
図１は、本発明のＣＣＴＶ画像配信システムの実施の形態の構成の一例を示すブロック図である。
【００３０】
図１において、ＣＣＴＶ画像配信システムは、ＣＣＴＶサーバ１、タイマＴ２を内蔵すると共に、タイムアウト時にＣＣＴＶサーバ１に確認要求を送信する公開サーバ２、タイマＴ１を内蔵すると共に、符号化された映像情報を正常に復号できたか否かを判断するＭＰＥＧ２デコーダ（以下、ＭＰＥＧ２ＤＥＣと記す。）３、ＪＰＥＧエンコーダ（以下、ＪＰＥＧＥＮＣと記す。）４、ＬＡＮスイッチ５（＃１、＃２）、ネットワーク８（＃１、＃２）、複数個のＭＰＥＧ２エンコーダ（以下、ＭＰＥＧ２ＥＮＣと記す。）６（＃１〜＃３）、複数のカメラ７（＃１〜＃３）とから構成されている。
【００３１】
カメラ７（＃１〜＃３）からの映像情報は、対応して設けられているＭＰＥＧ２ＥＮＣ６（＃１〜＃３）によりデジタル符号化され、ＬＡＮスイッチ５（＃１）、例えば、ローカルエリアネットワーク（ＬＡＮ）のネットワーク８（＃１）、ＬＡＮスイッチ５（＃２）を介してＣＣＴＶサーバ１およびＭＥＧ２ＤＥＣ３を送信される。
【００３２】
この映像情報の取得に際し、ＣＣＴＶサーバ１は、ＭＰＥＧ２ＤＥＣ３にＩＰアドレスを設定し、ＭＰＥＧ２ＤＥＣ３からＬＡＮスイッチ５（＃２）、ネットワーク８（＃１）、ＬＡＮスイッチ５（＃１）に監視画像のカメラ７（＃１〜＃３）に対応するＭＰＥＧ２ＥＮＣ６（＃１〜＃３）の１つを選択し、そのカメラ７（＃１〜＃３）からの映像情報をＭＰＥＧ２ＤＥＣ３に送信するように動作する。
【００３３】
また、ＣＣＴＶサーバ１は、デジタル化された映像情報を復号化するＭＰＥＧ２ＤＥＣ３、その復号された映像情報を受信してデジタル化静止画像情報を生成するＪＰＥＧＥＮＣ４、およびＪＰＥＧＥＮＣ４から静止画像情報を取得して蓄積・公開している公開サーバ２を監視、制御する。
【００３４】
なお、映像情報の選択、送受信制御を行うＣＣＴＶサーバ１と公開サーバ２は、同一装置であってもよい。この実施の形態では、２つの機能をサーバ毎に分離して説明している。
【００３５】
モニタ９は、ネットワーク８（＃２）を介して、公開サーバ２へアクセスし、カメラ７からの動画画像を静止画像として表示している。なお、ネットワーク８（＃１）と（＃２）は、１つのネットワークであってもよい。
【００３６】
図２は、本発明のＣＣＴＶ画像配信システムの実施の形態における、画像配信の動作手順を示す図である。
【００３７】
以下、図１および図２を用いて、ＣＣＴＶ画像配信システムの画像配信の動作を説明する。
【００３８】
ＣＣＴＶサーバ１は、カメラ７（例えば、＃１）からの画像情報を公開サーバ２に蓄積する際、まずカメラ７（＃１）からの映像情報をデジタル符号化しているＭＰＥＧ２ＥＮＣ６（＃１）のＩＰアドレスをＭＰＥＧ２ＤＥＣ３に設定する。ＭＰＥＧ２ＤＥＣ３では、そのＩＰアドレスをＣＣＴＶサーバ１から受信すると、内蔵するタイマＴ１を起動する（図４のステップｓ１）。
【００３９】
続いて、ＭＰＥＧ２ＤＥＣ３は、ＬＡＮスイッチ５（＃２）にＭＰＥＧ２ＥＮＣ６（＃１）のＩＰアドレスを送信して、接続要求を行う（図４のステップｓ２）。
【００４０】
ＬＡＮスイッチ５（＃２）は、その要求に対する応答信号をＣＣＴＶサーバ１に送信する。応答信号を受信したＣＣＴＶサーバ１は、そのカメラ７（＃１）を特定する接続情報を公開サーバ２に送信する。そして、公開サーバ２は、ＣＣＴＶ１から接続情報を受信すると、内蔵するタイマＴ２を起動する（図４のステップｓ３）。
【００４１】
また、これに引き続いてＬＡＮスイッチ５（＃２）は、ネットワーク８（＃１）にＭＰＥＧ２ＤＥＣ２からの接続要求信号をネットワーク８（＃１）送信する（図４のステップｓ４）。
【００４２】
ＬＡＮスイッチ５（＃１）は、ネットワーク８（＃１）を介してこのカメラ７（＃１）の映像情報を出力しているＭＰＥＧ２ＥＮＣ６（＃１）への接続要求信号を受信する。そして、ＬＡＮスイッチ５（＃１）は、カメラ７（＃１）に対応するＭＰＥＧ２ＥＮＣ６（＃１）からの映像情報を選択してネットワーク８（＃１）に送信する（図４のステップｓ５）。
【００４３】
ＬＡＮスイッチ５（＃２）は、ネットワーク８（＃１）を介してＭＰＥＧ２ＥＮＣ６（＃１）からの映像情報を受信すると、映像情報を要求していたＭＰＥＧ２ＤＥＣ３に受信した映像情報を送信する。
【００４４】
ＭＰＥＧ２ＤＥＣ３は、受信したデジタル符号化された映像情報を、例えば、ＮＴＳＣ方式の映像信号に復号し、この映像信号の同期信号が正しく再生されれば正常受信と判断して、ステップｓ２で設定したタイマＴ１をクリアし、正常受信フラグを設定する。そして、ＭＰＥＧ２ＤＥＣ３は、ＮＴＳＣ方式の映像信号をＪＰＥＧＥＮＣ４に出力する（図４のステップｓ５−１）。
【００４５】
もし、ここで、ＭＰＥＧ２ＤＥＣ３が、ＮＴＳＣ信号の同期信号を監視することにより、ＭＰＥＧ２ＥＮＣ６（＃１）からの映像情報が正しく復号されなかったことを検出したとする。すると、ＭＰＥＧ２ＤＥＣ３は、ステップｓ２で設定したタイマＴ１の時間内にＭＰＥＧ２ＥＮＣ６（＃１）からの映像情報を復号できなかったと判断して、受信異常のフラグを設定する（図４のステップｓ５−２）。
【００４６】
なお、正常受信か否かの判断方法は、上記の同期信号の監視以外に、例えば、評価用のテスト信号を映像情報として定期的にＭＰＥＧ２ＥＮＣ６（＃１）から送信し、ＭＰＥＧ２ＤＥＣ３がそのテスト信号を受信して、あらかじめ定められた基準と比較、評価することにより正常か否かを検証する方法等を適宜定めればよい。
【００４７】
そして、ＪＰＥＧＥＮＣ２は、所定の方式に復号された映像情報を受信していれば、その受信した映像情報から静止画像信号を生成して公開サーバ１２に送信する（図４のステップｓ５−３）。
【００４８】
一方、公開サーバ２は、ステップｓ３で設定したタイマＴ２が所定の時間経過してタイムアウトとなると、ＭＰＥＧ２ＤＥＣ３の状態確認要求信号をＣＣＴＶサーバ１に送信する（図４のステップｓ６）。
【００４９】
ＣＣＴＶサーバ１は、公開サーバ２からこの状態確認要求信号を受信すると、ＭＰＥＧ２ＤＥＣ３に映像情報を正しく受信できたか否かの確認要求を送信する（図４のステップｓ７）。
【００５０】
そして、ＭＰＥＧ２ＤＥＣ３は、ステップｓ５−１又はｓ５−２で設定した正常受信か、異常受信かの結果のフラグ情報をＣＣＴＶサーバ１に送信する（図４のステップｓ８）。すると、ＣＣＴＶサーバ１は、その受信したフラグ情報を公開サーバ２に送信する（図４のステップｓ９）。
【００５１】
公開サーバ２は、そのフラグ情報を判読して、正常受信で有れば、ＭＰＥＧ２ＤＥＣ３から受信している映像情報を符号化して蓄積すると共に、その映像情報を公開する。もし、上記フラグ情報が異常で有れば、受信異常を案内する情報（データ）を生成して、そのデータを蓄積すると共に、公開する（図４のステップｓ１０）。
【００５２】
なお、上記実施の形態のＣＣＴＶ画像配信システムは、カメラ７の映像信号を符号化するＭＰＥＧ２ＥＮＣ６（＃１〜＃３）からの映像情報の受信状態を監視し、その結果をＣＣＴＶサーバ１および公開サーバ２に通知することによって、画像受信者が公開サーバ２から取得した画像情報が正常か否かをモニタ９の画面から判断することを可能としている。
【００５３】
また、上記の説明では、公開サーバ２は、静止画のデータを蓄積・公開しているが、公開する映像情報は静止画のデータに限ることなく、ＭＰＥＧ方式等によるデジタル符号化された動画像のデータを蓄積・公開するものであってもよい。
【００５４】
【発明の効果】
以上述べたように、本発明のＣＣＴＶ画像配信システムでは、デジタル符号化された映像情報を復号する装置がネットワークから受信した映像情報の受信状態を監視して正常か異常かを判定し、映像情報を蓄積・公開するサーバは、その判定結果に基づいて異常な場合は異常を示す映像情報を蓄積・公開するので、監視画像が正常か否かをモニタの画面を監視するだけで判断できる。
【図面の簡単な説明】
【図１】本発明のＣＣＴＶ画像配信システムの実施の形態の構成の１例を示すブロック図。
【図２】本発明のＣＣＴＶ画像配信システムの実施の形態における、画像配信の動作手順の１例を示す状態図。
【図３】従来のＣＣＴＶ画像配信システムの構成を示すブロック図。
【図４】従来のＣＣＴＶ画像配信システムにおける画像配信の動作手順を示す状態図。
【符号の説明】
１  ＣＣＴＶサーバ
２  公開サーバ
３  ＭＰＥＧ２ＤＥＣ
４  ＪＰＥＧＥＮＣ
５  ＬＡＮスイッチ
６  ＭＰＥＧ２ＥＮＣ
７  カメラ
Ｔ１、Ｔ２  タイマ
【図１】
2004282283.tif 000003
【図２】
2004282283.tif 000004
【図３】
2004282283.tif 000005
【図４】
2004282283.tif 000006